【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
シートが積載されるシート積載手段と、
前記シート積載手段上のシートを押圧する押圧位置から上方へ移動可能なシート押圧部材と、
前記シート押圧部材の上方移動を規制する規制部材と、
前記規制部材による前記シート押圧部材の規制位置を前記シート積載手段に積載されたシートの積載高さに応じて変更する調節機構と、を備え、
前記調節機構が、前記シート積載手段に積載されたシートの積載高さにかかわらず、前記シート押圧部材の押圧位置から規制位置までの距離を略一定に保持することを特徴とするシート積載装置。
【請求項２】
前記シート積載手段に積載されたシートの端部を受け止めるストッパと、前記シート押圧部材を間にして前記ストッパとは反対側に設けられ、前記シート積載手段に排出されたシートを前記ストッパへ案内する搬送ガイドを備え、
前記搬送ガイドの位置は、前記シート押圧部材の前記規制位置の変更に連動して変更されることを特徴とする請求項１に記載のシート積載装置。
【請求項３】
前記規制部材が、前記シート積載手段に積載されたシートの積載高さに応じて回転する回転軸に一体に備えられていることを特徴とする請求項１又は２に記載のシート積載装置。
【請求項４】
前記規制部材を前記シート押圧部材の前記規制位置に付勢する付勢部材を備え、
前記シート積載手段に排出されたシートとの当接により前記シート押圧部材が、前記付勢部材に抗して、前記規制部材を前記規制位置よりさらに上方に移動させることが可能であることを特徴とする請求項１乃至３のいずれか１項に記載のシート積載装置。
【請求項５】
前記規制部材が、前記シートの積載高さに応じて回転する回転軸に回転自在に設けられ、
前記付勢部材が、前記シート押圧部材の前記規制位置に、前記規制部材を付勢するように前記規制部材と前記回転軸との間に設けられて、
前記規制部材が、前記回転軸と前記規制部材との間に設けられた回転規制機構によって、
前記シート押圧部材の前記規制位置に規制されていることを特徴とする請求項４に記載のシート積載装置。
【請求項６】
前記シート押圧部材と前記規制部材との内、少なくとも前記シート押圧部材が、シート排出方向に対して交差する方向に移動可能に備えられていることを特徴とする請求項１乃至５のいずれか１項に記載のシート積載装置。
【請求項７】
前記シート押圧部材のシート押圧位置が、前記ストッパの下流側近傍に設定されていることを特徴とする請求項２乃至６のいずれか１項に記載のシート積載装置。
【請求項８】
前記ストッパと前記シート押圧部材とが、前記シート排出方向に対して交差する方向に移動可能であることを特徴とする請求項２乃至７のいずれか１項に記載のシート積載装置。
【請求項９】
シートが積載されるシート積載手段と、
シートを押圧する押圧部を有し、前記押圧部によって前記シート積載手段上のシートを押圧する押圧位置から上方へ移動可能なシート押圧部材と、
前記シート押圧部材の上方移動を規制する規制部材と、
前記シート積載手段に積載されたシートの積載高さが増えるにしたがって前記規制部材による前記シート押圧部材の規制位置における前記押圧部と前記シート積載手段のシート積載面との間の距離が大きくなるよう前記規制位置を変更する調節機構と、
を備えたことを特徴とするシート積載装置。
【請求項１０】
前記シート積載手段に積載されたシートの端部を受け止めるストッパと、前記シート押圧部材を間にして前記ストッパとは反対側に設けられ、前記シート積載手段に排出されたシートを前記ストッパへ案内する搬送ガイドを備え、前記搬送ガイドの位置は、前記シート押圧部材の前記規制位置の変更に連動して変更されることを特徴とする請求項９に記載のシート積載装置。
【請求項１１】
前記規制部材が、前記シート積載手段に積載されたシートの積載高さに応じて回転する回転軸に一体に備えられていることを特徴とする請求項９又は１０に記載のシート積載装置。
【請求項１２】
前記規制部材を前記シート押圧部材の前記規制位置に付勢する付勢部材を備え、前記シート積載手段に排出されたシートとの当接により前記シート押圧部材が、前記付勢部材に抗して、前記規制部材を前記規制位置よりさらに上方に移動させることが可能であることを特徴とする請求項９乃至１１のいずれか１項に記載のシート積載装置。
【請求項１３】
前記規制部材が、前記シートの積載高さに応じて回転する回転軸に回転自在に設けられ、
前記付勢部材が、前記シート押圧部材の前記規制位置に、前記規制部材を付勢するように前記規制部材と前記回転軸との間に設けられて、前記規制部材が、前記回転軸と前記規制部材との間に設けられた回転規制機構によって、前記シート押圧部材の前記規制位置に規制されていることを特徴とする請求項１２に記載のシート積載装置。
【請求項１４】
シートが積載されるシート積載装置と、
前記シート積載装置の前記シート積載手段に積載されたシートのシート排出方向上流側端部を綴じる綴じ手段と、を備え、
前記シート積載装置が、請求項１乃至１３のいずれか１項に記載のシート積載装置であることを特徴とするシート処理装置。
【請求項１５】
前記シート積載装置の前記シート押圧部材の移動領域が、前記綴じ手段と干渉しない位置に設定されていることを特徴とする請求項１４に記載のシート処理装置。
【請求項１６】
前記綴じ手段が、前記シート排出方向に対して交差する方向に位置調節可能であることを特徴とする請求項１４又は１５に記載のシート処理装置。
【請求項１７】
シートに画像を形成する画像形成手段と、
前記画像形成手段によって画像を形成されたシートが積載されるシート積載装置と、を備え、
前記シート積載装置が、請求項１乃至１３のいずれか１項に記載のシート積載装置であることを特徴とする画像形成装置。
【請求項１８】
シートに画像を形成する画像形成手段と、
前記画像形成手段によって画像を形成されたシートに処理を施すシート処理装置と、を備え、
前記シート処理装置が、請求項１４乃至１６のいずれか１項に記載のシート処理装置であることを特徴とする画像形成装置。
【手続補正２】
【補正対象書類名】明細書
【補正対象項目名】００２９
【補正方法】変更
【補正の内容】
【００２９】
上記目的を達成するため、本発明のシート積載装置は、シートが積載されるシート積載手段と、前記シート積載手段上のシートを押圧する押圧位置から上方へ移動可能なシート押圧部材と、前記シート押圧部材の上方移動を規制する規制部材と、前記規制部材による前記シート押圧部材の規制位置を前記シート積載手段に積載されたシートの積載高さに応じて変更する調節機構と、を備え、前記調節機構が、前記シート積載手段に積載されたシートの積載高さにかかわらず、前記シート押圧部材の押圧位置から規制位置までの距離を略一定に保持することを特徴としている。
【手続補正３】
【補正対象書類名】明細書
【補正対象項目名】００３０
【補正方法】変更
【補正の内容】
【００３０】
本発明のシート積載装置は、前記シート積載手段に積載されたシートの端部を受け止めるストッパと、前記シート押圧部材を間にして前記ストッパとは反対側に設けられ、前記シート積載手段に排出されたシートを前記ストッパへ案内する搬送ガイドを備え、前記搬送ガイドの位置は、前記シート押圧部材の前記規制位置の変更に連動して変更されることを特徴としている。
【手続補正４】
【補正対象書類名】明細書
【補正対象項目名】００３１
【補正方法】変更
【補正の内容】
【００３１】
本発明のシート積載装置は、前記規制部材を前記シート押圧部材の前記規制位置に付勢する付勢部材を備え、前記シート積載手段に排出されたシートとの当接により前記シート押圧部材が、前記付勢部材に抗して、前記規制部材を前記規制位置よりさらに上方に移動可能であることを特徴としている。
上記目的を達成するため、本発明のシート積載装置は、シートが積載されるシート積載手段と、シートを押圧する押圧部を有し、前記押圧部によって前記シート積載手段上のシートを押圧する押圧位置から上方へ移動可能なシート押圧部材と、前記シート押圧部材の上方移動を規制する規制部材と、前記シート積載手段に積載されたシートの積載高さが増えるにしたがって前記規制部材による前記シート押圧部材の規制位置における前記押圧部と前記シート積載手段のシート積載面との間の距離が大きくなるよう前記規制位置を変更する調節機構と、を備えたことを特徴としている。
本発明のシート積載装置は、前記シート積載手段に積載されたシートの端部を受け止めるストッパと、前記シート押圧部材を間にして前記ストッパとは反対側に設けられ、前記シート積載手段に排出されたシートを前記ストッパへ案内する搬送ガイドを備え、前記搬送ガイドの位置は、前記シート押圧部材の前記規制位置の変更に連動して変更されることを特徴としている。
本発明のシート積載装置は、前記規制部材を前記シート押圧部材の前記規制位置に付勢する付勢部材を備え、前記シート積載手段に排出されたシートとの当接により前記シート押圧部材が、前記付勢部材に抗して、前記規制部材を前記規制位置よりさらに上方に移動させることが可能であることを特徴としている。